(57)【要約】低速部と、高速部と、低速部側の信号を高速部側の信号に多重するクロスコネクト部とを有するＳＤＨ伝送装置において、低速部は第一の信号送信部と第二の信号送信部とを有し、各信号送信部は現用送信部と予備送信部とを有し、前記ＳＤＨ伝送装置を、第一の信号送信部の現用送信部が前記高速部を介して第一の伝送路に信号を送信し、第二の信号送信部の現用送信部が前記高速部を介して第二の伝送路に信号を送信するように構成し、また、第一の信号送信部に入力する信号のトラフィック量が予め定めた値を超えた場合に、第一の信号送信部に入力する信号の一部を、第一の信号送信部の予備送信部から前記高速部を介して前記第二の伝送路に送出する手段を備える。
2004105276.tif 000002
【特許請求の範囲】
【請求項１】
低速部と、高速部と、低速部側の信号を高速部側の信号に多重するクロスコネクト部とを有するＳＤＨ伝送装置において、
低速部は第一の信号送信部と第二の信号送信部とを有し、各信号送信部は現用送信部と予備送信部とを有し、
前記ＳＤＨ伝送装置は、第一の信号送信部の現用送信部が前記高速部を介して第一の伝送路に信号を送信し、第二の信号送信部の現用送信部が前記高速部を介して第二の伝送路に信号を送信するように構成され、
第一の信号送信部に入力する信号のトラフィック量が予め定めた値を超えた場合に、第一の信号送信部に入力する信号の一部を、第一の信号送信部の予備送信部から前記高速部を介して前記第二の伝送路に送出する手段を有することを特徴とするＳＤＨ伝送装置。
【請求項２】
前記第二の伝送路に送出する手段は、
前記第一の信号送信部の予備送信部から出力される信号と、第二の信号送信部の現用送信部からの信号とを受信し、両信号のうちの正常な信号を選択して出力する手段を有する請求項１に記載のＳＤＨ伝送装置。
【請求項３】
前記低速部は、前記トラフィック量が予め定めた値を超えない場合に、前記第一の信号送信部の予備送信部に伝送路異常信号を入力する手段を有する請求項２に記載のＳＤＨ伝送装置。
【請求項４】
前記トラフィック量が予め定めた値を超えた場合に、前記第一の信号送信部の予備送信部に入力される伝送路異常信号を停止する請求項３に記載のＳＤＨ伝送装置。
【請求項５】
前記低速部は、リンクアグリゲーション機能を有するレイヤ２装置からのレイヤ２信号を受信し、そのレイヤ２信号をＳＤＨ信号にマッピングする手段と、
前記レイヤ２装置と低速部間の伝送路の故障を検出し、その伝送路に対応する信号送信部の現用送信部に異常を示す信号を入力する手段と
を有する請求項２に記載のＳＤＨ伝送装置。
【請求項６】
低速部と、高速部と、低速部側の信号を高速部側の信号に多重するクロスコネクト部とを有するＳＤＨ伝送装置における該低速部として使用される信号終端装置であって、
前記クロスコネクト部に信号を送信するための現用送信部と予備送信部とを有し、
前記ＳＤＨ伝送装置に接続されたレイヤ２装置からのレイヤ２信号を受信し、そのレイヤ２信号をＳＤＨの信号にマッピングする手段と、
レイヤ２装置から受信する信号のトラフィック量を監視し、そのトラフィック量が前記現用送信部が送信可能なトラフィック量を超えた場合に、レイヤ２装置から受信する信号の一部を前記予備送信部に入力する手段を有することを特徴とする信号終端装置。
【請求項７】
前記トラフィック量が前記現用送信部が送信可能なトラフィック量を超えない場合に、前記予備送信部に伝送路異常信号を入力する請求項６に記載の信号終端装置。
【請求項８】
低速部と、高速部と、低速部側の信号を高速部側の信号に多重するクロスコネクト部とを有するＳＤＨ伝送装置における信号送信方法であって、
低速部は第一の信号送信部と第二の信号送信部とを有し、各信号送信部は現用送信部と予備送信部とを有し、前記ＳＤＨ伝送装置は、第一の信号送信部の現用送信部が前記高速部を介して第一の伝送路に信号を送信し、第二の信号送信部の現用送信部が前記高速部を介して第二の伝送路に信号を送信するように構成され、
第一の信号送信部に入力する信号のトラフィック量が予め定めた値を超えた場合に、第一の信号送信部に入力する信号の一部を、第一の信号送信部の予備送信部から前記高速部を介して前記第二の伝送路に送出することを特徴とする信号送信方法。
【請求項９】
前記第一の信号送信部の予備送信部から出力される信号と、第二の信号送信部の現用送信部からの信号とを受信し、両信号のうちの正常な信号を選択して前記高速部側に出力する請求項８に記載の信号送信方法。
【請求項１０】
前記トラフィック量が予め定めた値を超えない場合に、前記第一の信号送信部の予備送信部に伝送路異常信号を入力する請求項９に記載の信号送信方法。
【請求項１１】
前記トラフィック量が予め定めた値を超えた場合に、前記第一の信号送信部の予備送信部に入力される伝送路異常信号を停止する請求項１０に記載の信号送信方法。
【発明の詳細な説明】
【技術分野】  本発明は、ＳＤＨ伝送装置により構成されるネットワークの帯域を有効に利用するための技術に関する。特に、リンクアグリゲーション機能を有するスイッチ装置を接続するＳＤＨ伝送装置により構成されるネットワークの帯域を有効に利用するための技術に関する
【背景技術】  近年、イーサネットなどにおけるフレームの処理を行うレイヤ２装置（以下、レイヤ２装置としてスイッチ装置を例にとり説明する）にリンクアグリゲーション機能が搭載される場合が多い。リンクアグリゲーション機能は、ＩＥＥＥ８０２．３ａｄで定義されている機能であり、複数のリンクを束ね、一つのリンクとして扱う機能である。
このようなスイッチ装置間で送受信される信号のトラフィックを効率良く伝送するために、イーサネットなどの上位レイヤ信号をＳＤＨ（Ｓｙｎｃｈｒｏｎｏｕｓ  Ｄｉｇｉｔａｌ  Ｈｉｅｒａｒｃｈｙ）信号などの下位レイヤ信号に収容して伝送することが行われている。そのために、ＳＤＨネットワークを構成するＳＤＨ伝送装置にスイッチ装置が接続される構成がとられる。なお、ＳＤＨをＳＯＮＥＴと称する場合もあるが、以下、ＳＤＨをＳＯＮＥＴを含む意味で使用する。
図１に従来のＳＤＨ伝送装置の構成の一例を示す。同図に示すように、このＳＤＨ伝送装置は、イーサネット等の信号を入力し、ＳＤＨ信号に変換する低速部１と、信号の多重分離、方路設定などを行う多重分離変換部２と、ＳＤＨ信号の入出力を行う高速部３とを有している。多重分離変換部２は、信号のパラレル／シリアル変換を行うパラレル／シリアル変換回路２１と、方路設定などを行うクロスコネクト回路２２と、クロスコネクト回路２２の設定のためのクロスコネクト情報設定回路２３を有している。
また、クロック供給回路４と、故障時のパス切り替えなどを制御するための主信号切替回路／制御監視回路５と、監視のための警報収集／出力回路６を有している。図２に示すようにスイッチ装置は低速部１に接続される。また、複数のＳＤＨ伝送装置を高速部を介して接続することにより、例えばリング構成のＳＤＨネットワークが形成される。
ここで、スイッチ装置におけるリンクアグリゲーション機能は、複数のポートをまとめて１つのリンクとみなし高速な通信を提供するものである。従って、複数のポートのうち特定のポートの通信に故障が発生した場合には、残りのポートを用いて通信を維持するようにスイッチ装置側での設定がなされる。
従って、ＳＤＨネットワークを構成するＳＤＨ伝送装置にスイッチ装置が接続される構成では、次のような問題がある。
図３は、ＳＤＨ伝送装置１０とＳＤＨ伝送装置３０とからなるＳＤＨネットワークにスイッチ装置１１とスイッチ装置３１とが接続され、ＳＤＨ伝送装置１０、３０を介してスイッチ装置１１、３１間で通信を行う構成を示す図である。図３に示すように、ＳＤＨ伝送装置１０は低速部としてギガイーサネット終端部１２、１３（ＧｂＥと記す）を有し、ＳＤＨ伝送装置３０は低速部としてギガイーサネット終端部３２、３３を有している。
図３に示す例では、スイッチ装置１１とＳＤＨ伝送装置１０間では、ポートＡとギガイーサネット終端部１２が接続され、また、ポートＢとギガイーサネット終端部１３が接続されている。スイッチ装置とＳＤＨ伝送装置間でも同様である。また、スイッチ装置１１とスイッチ装置３１間は、ポートＡとポートＣを接続するリンク１とポートＢとポートＤを接続するリンク２とが形成されている。そして、リンク１にはＸＭｂｐｓのトラフィックが伝送されており、リンク２にはＹＭｂｐｓのトラフィックが伝送されている。
また、スイッチ装置１１、３１のリンクアグリゲーション機能により、リンク１とリンク２とは（Ｘ＋Ｙ）Ｍｂｐｓのトラフィックを伝送する１つのリンクとして機能している。ＳＤＨ伝送装置１０、３０間での下位レイヤのレベルでは、リンク１と、リンク２とは別々のパスに収容されており、パス１には、リンク１のトラフィックが伝送され、パス２にはリンク２のトラフィックが伝送されているものとする。なお、明細書中、パスのことを伝送路と称する場合がある。
ここで、図３の正常状態から、スイッチ装置１１のポートＢとギガビットイーサネット終端部１３との間に故障が発生したとする。すなわち、例えば、ポートＢの故障や、ポートＢとギガビットイーサネット終端部１３間の線路故障などが発生したとする。すると、１つのリンクとみなされている（Ｘ＋Ｙ）Ｍｂｐｓのトラフィックをリンク１側だけで確保するようにスイッチ装置１１、３１の設定が変えられる。
従って、図４に示すように、パス２を流れていたトラフィックがパス１に流れるようになる。すなわち、ＳＤＨ伝送装置１０、３０間のパス１とパス２では、通常はＸＭｂｐｓもしくはＹＭｂｐｓに相当する帯域だけを使用するのにもかかわらず、上記のような故障を想定して、（Ｘ＋Ｙ）Ｍｂｐｓの帯域を各パスに備えて置く必要がある。すなわち、２（Ｘ＋Ｙ）Ｍｂｐｓの帯域を備えておく必要がある。なお、このような状況を想定して、スイッチ装置とＳＤＨ伝送装置間の帯域にも余裕を持たせている。
このように従来技術では、上記のような故障に備えてＳＤＨ伝送装置間のパスの帯域を余分に備えておく必要があるという問題があった。
【特許文献１】    特開平１０−１１７１７５号公報
【発明の開示】
本発明は、上記の問題を解消し、リンクアグリゲーション機能を使用するスイッチ装置を接続するＳＤＨ伝送装置により構成されるネットワークの帯域を有効に利用するための技術を提供することを目的とする。
上記の目的は、低速部と、高速部と、低速部側の信号を高速部側の信号に多重するクロスコネクト部とを有するＳＤＨ伝送装置を、低速部は第一の信号送信部と第二の信号送信部とを有し、各信号送信部は現用送信部と予備送信部とを有しように構成し、また、第一の信号送信部の現用送信部が前記高速部を介して第一の伝送路に信号を送信し、第二の信号送信部の現用送信部が前記高速部を介して第二の伝送路に信号を送信するように構成し、第一の信号送信部に入力する信号のトラフィック量が予め定めた値を超えた場合に、第一の信号送信部に入力する信号の一部を、第一の信号送信部の予備送信部から前記高速部を介して前記第二の伝送路に送出する手段を設けることにより解決する。
本発明によれば、リンクアグリゲーション機能を有するスイッチ装置（レイヤ２装置）からのトラフィックを低速部が受信するような構成で、リンクアグリゲーションにより束ねられている複数リンクのうちの１つが故障し、元から流れていたトラフィックと故障した側で伝送されていたトラフィックとが上記の第一の信号送信部に入力されたとしても、第一の信号送信部の予備伝送部から第二の伝送路にトラフィックの一部を転送することができるので、従来のように中継区間の伝送路に余分の帯域を備えておく必要がなくなる。
前記第二の伝送路に送出する手段は、前記第一の信号送信部の予備送信部から出力される信号と、第二の信号送信部の現用送信部からの信号とを受信し、両信号のうちの正常な信号を選択して出力する手段を有するものとして構成することができ、前記トラフィック量が予め定めた値を超えない場合に、前記第一の信号送信部の予備送信部に伝送路異常信号を入力することにより、通常は上記手段は現用送信部からの信号を出力することになる。また、前記トラフィック量が予め定めた値を超えた場合には、前記第一の信号送信部の予備送信部に入力される伝送路異常信号を停止する。
【図面の簡単な説明】  図１は、従来のＳＤＨ伝送装置の構成の一例を示す図である。
図２は、スイッチ装置は低速部１に接続される場合の構成の一例を示す図である。
図３は、ＳＤＨ伝送装置１０とＳＤＨ伝送装置３０とからなるＳＤＨネットワークにスイッチ装置１１とスイッチ装置３１とが接続され、ＳＤＨ伝送装置１０、３０を介してスイッチ装置１１、３１間で通信を行う構成を示す図である。
図４は、図３の構成において、スイッチ装置１１とＳＤＨ伝送装置１０間で故障が発生した場合について説明するための図である。
図５は、本発明の実施の形態の概要構成を説明するための図である。
図６は、本発明の実施の形態のＳＤＨ伝送装置における正常時の動作を説明するための図である。
図７は、図６の構成において、スイッチ装置とＳＤＨ伝送装置間で故障が発生した場合についての動作を説明するための図である。
図８は、本発明の実施の形態におけるＳＤＨ伝送装置の低速部の構成例を示す図である。
図９は、本発明に係るパススイッチを有するＳＤＨ伝送装置のクロスコネクト部の構成例を示す図である。
【発明を実施するための最良の形態】  以下、本発明の実施の形態を図面に基づいて説明する。
まず、図５を参照して実施の形態の概要構成について説明する。なお、説明を分かり易くするための便宜上、信号が左から右へ送信される場合のみについて説明する。
図５に示すように、ＳＤＨ伝送装置４０は低速部５０、クロスコネクト部６０、高速部７０を有しており、低速部にはスイッチ装置８０が接続され、図３に示したＳＤＨ伝送装置１０と同様のトラフィックの信号をスイッチ装置８０から受信している。低速部５０のポート５１は、リンク１のＸＭｂｐｓの信号を受信しており、ポート５２は、リンク２のＹＭｂｐｓの信号を受信している。
低速部５０は、リンク１に対応して、信号をクロスコネクト部６０に送出するための現用ＣＨ部５３／予備ＣＨ部５４を有する。また、同様に、リンク２に対応して、現用ＣＨ部５５／予備ＣＨ部５６を有している。また、スイッチ装置８０から受信した信号の流量制限を行うための流量制限機能５７が備えられている。
クロスコネクト部６０は、受信した２つの信号のうちの一つを選択して出力する機能を有するパススイッチ６１とパススイッチ６２とを有している。パススイッチ６１は、ポート６３を介して現用ＣＨ部５３からの信号を受信し、ポート６４を介して予備ＣＨ部５５からの信号を受信する。パススイッチ６２は、ポート６６を介して現用ＣＨ部５６からの信号を受信し、ポート６５を介して予備ＣＨ部５４からの信号を受信する。なお、各パススイッチは、パスの異常を示す信号であるＰ−ＡＩＳ（Ｐａｔｈ  Ａｌａｒｍ  Ｉｎｄｉｃａｔｉｏｎ  Ｓｉｇｎａｌ）を受信していないほうのパスの信号を出力するように動作する。
上記の構成を有するＳＤＨ伝送装置４０の動作を、図６と図７を用いて説明する。以下、低速部は、スイッチ装置側からギガビットイーサネット信号を終端し、ＳＤＨ信号に変換するギガビットイーサネット終端部（ＧｂＥと略記する）を、リンク１とリンク２に対応させて２つ（ＧｂＥ＃１、ＧｂＥ＃２）備えているものとし、各ギガビットイーサネット終端部は上記の現用ＣＨ部と予備ＣＨ部とを有している。また、上記のＸＭｂｐｓ、ＹＭｂｐｓをそれぞれ６００Ｍｂｐｓであるものとして説明する。なお、図６、７では、現用ＣＨ部／予備ＣＨ部からパススイッチの部分を中心に示している。なお、ギガビットイーサネット終端部の代わりにファーストイーサネット（ＦＥ）終端部を使用する場合も同様な動作をする。
図６に示すように、正常時には、リンク１からの６００Ｍｂｐｓのトラフィック１が現用ＣＨ部５３に入力され、ポート６３を介してパススイッチ６１に送られる。また、リンク２からの６００Ｍｂｐｓのトラフィック２が現用ＣＨ部５６に入力し、ポート６６を介してパススイッチ６２に送られる。
スイッチ装置８０からの信号が転送されていない予備ＣＨ部５４へは、パスの故障を検出したときに発せらるＰ−ＡＩＳが常に入力されて、ポート６５を介してパススイッチ６２に送られる。また、予備ＣＨ部５５にもＰ−ＡＩＳが入力されて、ポート６４を介してパススイッチ６１に送られる。
従って、パススイッチ６１は、現用ＣＨ部５３からの信号と、予備ＣＨ部５５からのＰ−ＡＩＳを受信し、パススイッチ６２、現用ＣＨ部５６からの信号と、予備ＣＨ５４からのＰ−ＡＩＳを受信する。各パススイッチは、Ｐ−ＡＩＳを受信していないほうのパスの信号を選択して高速側に出力するように動作するので、正常状態においては、パススイッチ６１は現用ＣＨ部５３からの信号を高速部側に転送し、パススイッチ６２は現用ＣＨ部５６からの信号を高速部側に転送する。すなわち、リンク１に対応するパスは６００Ｍのトラフィックを運ぶ信号を対向のＳＤＨ伝送装置に伝送し、リンクに２対応するパスも６００Ｍのトラフィックを運ぶ信号を対向のＳＤＨ伝送装置に伝送する。
次に、図７を用いて、スイッチ装置８０−低速部５０間のリンクの故障、もしくは低速部の入口ポートの故障が発生した場合について説明する。
上記の故障が発生していることをギガビットイーサネット終端部で検出すると、ギガビットイーサネット終端部では、故障したリンクに対応する現用ＣＨ部にＰ−ＡＩＳを送出する。すなわち、図７に示す場合では、リンク２側の線路もしくはポートが故障したため、現用ＣＨ部５６にＰ−ＡＩＳが入力され、Ｐ−ＡＩＳはポート６６を介してパススイッチ６２に送出される。
一方、リンク２側の故障に伴って、スイッチ装置側でのリンクアグリゲーションの設定変更によりリンク２を流れていたデータが、リンク１の側に流れることになる。リンク１の側のギガビットイーサネット終端部（ＧｂＥ＃１）では、流量制限機能により、スイッチ装置から受信するデータのトラフィック量が、現用ＣＨ部５３が伝送可能な容量より少ない場合、全受信データは現用ＣＨ部５３へ送信される。また、流量制限機能が、リンク１からのトラヒックが現用ＣＨ部５３の容量を超えると判断した場合には、予備ＣＨ部に流しているＰ−ＡＩＳを停止し、現用ＣＨ部５３への信号の流入を制限し、予備ＣＨ部５４に対して現用ＣＨ部５３で伝送しきれないトラフィックを転送する。
そして、パススイッチ６２では、現用ＣＨ部５６からＰ−ＡＩＳを受信しているので、予備ＣＨ部５４からのＰ−ＡＩＳの送信が停止され、正常信号が送出されていれば、選択するパスをポート６６からポート６５の側に切り替える。すなわち、予備ＣＨ部５４から受信する信号を高速部側に送出するようにする。
このような構成とすることにより、スイッチ装置と低速部間のリンクの一方に故障が発生した場合でも、ＳＤＨ伝送装置側では、故障が発生していない場合と同様のパスを用いて信号を伝送することが可能となるので、上記の故障を想定して各パスに余分の帯域を持たせる必要がなくなる。
次に、ＳＤＨ伝送装置における低速部の構成について図８を用いて詳細に説明する。同図に示すように、低速部はスイッチ装置から受信した上位レイヤの信号をＳＤＨ信号にマッピングするマッピング部９０と、本発明に基づく動作を行う信号送信部１００とを有している。なお、図８は、低速部における１チャネル分の構成を示している。また、図８に示す構成は、低速部に搭載するイーサネット終端パッケージの回路構成例でもある。
マッピング部９０は、スイッチ装置から受信した光信号を電気信号に変換する光／電気変換回路９１、物理層の処理を行うＰＨＹ部９２、ＭＡＣ層の処理を行うＭＡＣ部９３、受信したデータパケットをＰＰＰフレームへカプセリング又はデカプセリングを行うＰＰＰカプセル／デカプセル回路９４、ＰＰＰフレームをＳＤＨ信号へマッピング又はその逆の処理をするＳＤＨマップ回路９５を有している。
信号送信部１００は、ＳＤＨ信号にＰ−ＡＩＳを挿入するためのＡＩＳ挿入回路１０１と、受信する信号のトラフィックを監視し、トラフィック量に応じて信号の振り分けを行う流量監視制御回路１０２と、ＳＤＨにマッピングされた信号をパススイッチに送信する現用送信ＣＨ回路１０３と予備送信ＣＨ回路１０４とを有している。
また、ＰＰＰカプセル／デカプセル部９４は、スイッチ装置と低速部間の故障を検出して、故障をＡＩＳ挿入回路１０１に通知する機能と、流量制御監視回路１０２からの通知を受けて、予備送信ＣＨ回路１０４に送信する信号に対してＰ−ＡＩＳを挿入するか否かをＡＩＳ挿入回路１０１に通知する機能を有している。なお、後者の通知は流量制御監視回路１０２からＡＩＳ挿入回路１０１に直接行うようにしてもよい。以下、本発明に関係する部分の動作について説明する。
スイッチ装置と低速部間で故障が発生していない場合において、低速部がスイッチ装置から受信する信号のトラフィック量が、現用送信ＣＨ回路１０３の伝送可能な容量に満たない場合には、流量監視制御回路１０２は予備送信ＣＨ回路１０４にのみＰ−ＡＩＳを挿入するようにＡＩＳ挿入回路１０１を制御し、ＡＩＳ挿入回路１０１は予備送信ＣＨ回路１０４に送信する信号にＰ−ＡＩＳを挿入する。これにより、予備送信ＣＨ回路からはパススイッチに対してＰ−ＡＩＳが送出される。
低速部とスイッチ装置間で故障が発生すると、ＰＰＰカプセル／デカプセル回路９４は、その故障を検出して、ＡＩＳ挿入回路１０１に通知し、ＡＩＳ挿入回路１０１は、現用送信ＣＨ回路１０３に送信する信号にＰ−ＡＩＳを挿入する。
図８に示す低速部に対応するチャネルとは別のチャネルに対応する低速部とスイッチ装置間のリンクで故障が発生したために、そこに流れていた信号が図８に示す回路に流入してきた場合、流量監視制御回路１０２がトラフィックの増加を認識する。そして、トラフィック量が現用送信ＣＨ回路１０３の容量を越えた時点で、これまで予備送信ＣＨ回路１０４に送出していたＰ−ＡＩＳの挿入を停止するようにＡＩＳ挿入回路１０１を制御する。更に、流量監視制御回路１０２は、上記容量を超えた部分のトラフィックを予備送信ＣＨ回路１０４に流すように制御を行う。これにより、前述した通り、現用送信ＣＨ回路１０３から送出される信号を伝送するパスと別のパスに上記容量を超えた部分のトラフィックを流すことが可能となる。
次に、図５などに示す本発明に係るパススイッチについて説明する。
信号のＡｄｄ（挿入）、Ｄｒｏｐ（分離）を行う機能を有するＳＤＨ伝送装置であるＡＤＭ装置には、従来からパス救済のためのパススイッチはあった。例えば、リング構成におけるＵＰＳＲ（Ｕｎｉｄｉｒｅｃｔｉｏｎａｌ  ｐａｔｈ  ｓｗｉｔｃｈｅｄ  ｒｉｎｇ）での切り替えを行うためにパススイッチが用いられている。これはＤｒｏｐの際にＳＤＨリングネットワーク側から受信する信号を切り替えるので受信切り替え用のパススイッチであるといえる。
一方、本発明に係るパススイッチは、低速部からの信号を高次信号にＡｄｄ（挿入）する前に、必要に応じて切り替えを行うものであり、上記の受信切り替えのパススイッチに対して送信切り替えのパススイッチであるということができる。
図９に、上記パススイッチを有するＳＤＨ伝送装置のクロスコネクト部の構成例を示す。点線で囲んだ部分が、従来のクロスコネクト回路に対して追加されるパススイッチの部分である。点線で囲んだ部分以外の部分は、従来の構成と同様であり、信号をＡｄｄ、Ｄｒｏｐするための機能部１１１〜１１４、ＢＬＳＲ（Ｂｉｄｉｒｅｃｔｉｏｎａｌ  ｌｉｎｅ  Ｓｗｉｔｃｈｅｄ  ｒｉｎｇ）の切り替えを行うための機能部１１５〜１２２などから構成される。また、上述したように、Ｄｒｏｐする信号の受信切り替えを行うためのパススイッチ回路１２３が備えられている。
点線で囲んだ部分は、現用ＣＨ部からの信号もしくは予備ＣＨ部からの信号のうちの一方の信号を選択してＡｄｄ側に送出するパススイッチ回路１３１と、Ｐ−ＡＩＳを検出するためのＡＩＳ検出回路１３２とを有している。パススイッチ回路１３１は、現用ＣＨ部からの信号もしくは予備ＣＨ部からの信号のうちＰ−ＡＩＳが検出されていないほうの信号を選択して送出するように動作する。また、ＡＩＳ検出回路１３２は、現用ＣＨ部からの信号もしくは予備ＣＨ部からの信号においてＰ−ＡＩＳを検出し、検出したことをパススイッチ回路１３１に通知する。
なお、パススイッチ回路をクロスコネクト部に設ける代わりに低速部における現用送信ＣＨ回路と予備送信ＣＨ回路の後に設けてもよい。また、上記の実施の形態におけるパススイッチはＰ−ＡＩＳを受信していないほうの信号を選択して出力するものであるが、Ｐ−ＡＩＳの代わりに他の信号を使用するようにパススイッチを構成することも可能である。
上記のように、本実施の形態によれば、スイッチ装置側でリンクアグリゲーション機能を使用時において、スイッチ装置とＳＤＨ伝送装置間のポート故障・断線故障等の故障発生を考慮しても、スイッチ装置間の信号中継を行うための伝送路帯域は、リンクアグリゲーションによりまとめられた分の帯域を備えておけばよい。すなわち、従来の構成では、リンクアグリゲーションによりまとめられた分の帯域の２倍の帯域が必要であったところ、本発明によれば帯域使用量を減らすことができ、コスト削減が可能となる。
なお、本発明は、上記の実施例に限定されることなく、特許請求の範囲内において、種々変更・応用が可能である。
【図１】
2004105276.tif 000003
【図２】
2004105276.tif 000004
【図３】
2004105276.tif 000005
【図４】
2004105276.tif 000006
【図５】
2004105276.tif 000007
【図６】
2004105276.tif 000008
【図７】
2004105276.tif 000009
【図８】
2004105276.tif 000010
【図９】
2004105276.tif 000011
【国際調査報告】
2004105276.tif 000012
2004105276.tif 000013
2004105276.tif 000014
2004105276.tif 000015